(57)【要約】  【課題】本発明は、需要者が取引の際に支払う取引額に対する１００％以上の通貨を顧客に発行し、更に通貨に係る情報を本装置に移行させるためのプログラム及びシステム並びに利用方法を提供することを目的とする。     【解決手段】装置−１、装置−２、本装置の３者間における、ネットワーク構成−１において、装置−１、装置−２のＣＰＵを機能させるため、両者のＨＤＤなどの記憶装置に入力されるプログラム情報であって、該装置−１にプログラム情報として入力される第１ステップから第３ステップと該装置−２にプログラム情報として入力される第４ステップから第６ステップを構成するプログラムによって、需要者がモノやサービスの提供を受けるため、代金として支払った「取引額」に対する１００％以上の通貨を、該代金を支払った顧客に発行し、該通貨に係る情報を本装置に移行することを特徴とするプログラム及びシステム並びに利用方法である。      【選択図】  図１
2008090873.tif 000002
【特許請求の範囲】
【請求項１】
１以上で構成されるコンピュータ−１（以下、装置−１という）と１以上で構成されるコ
ンピュータ−２（以下、装置−２という）と特開２００７−３３４９１６（以下、特許文
献１という）に記載する本装置（以下、本装置という）によって構成されるネットワーク
（以下、ネットワーク構成−１という）において、該装置−１と装置−２の両者のＣＰＵ
（Central
Processing Unit）を機能させるため、両者のＨＤＤ（Hard disk drive）など
の記憶装置に入力されるプログラム情報であって、該装置−１のＨＤＤなどの記憶装置に
第１ステップから第３ステップに至る３ステップで構成されるプログラム情報として入力
され、第１ステップは、需要者と供給者がモノやサービスに関する取引を行うことを目的
に、プログラム情報で構築された取引手段（以下、取引手段という）であって、需要者と
して取引を行うための、それぞれの顧客のコンピュータ（以下、装置−３という）と供給
者として取引を行うための、それぞれの販売者などのコンピュータ（以下、装置−４とい
う）を用いることによって、インターネットで形成されたネットワーク（以下、ネットワ
ーク構成−２という）を介して該取引手段にアクセスし、該取引手段が提示する指示事項
に従い、キーボードやマウスなどの入力装置を用いて取引情報を入力し、取引に係る契約
を成立させるステップであって、第２ステップは、前記取引手段における取引情報を記憶
することを目的に、プログラム情報で構築された取引情報の記憶手段（以下、取引情報の
記憶手段という）であって、同一の装置−１にプログラム情報として入力された手段であ
ることを利用して、前記取引手段において、取引に係る契約の成立に関する情報の発生と
同時に、該取引情報の記憶手段が該取引に係る契約の成立に関する情報をダイレクトに記
憶するステップであって、第３ステップは、前記取引情報の記憶手段に記憶されている取
引情報のうち、取引に係る契約の履行状況を確認することを目的に、プログラム情報で構
築された取引情報の参照手段（以下、取引情報の参照手段という）であって、ネットワー
ク構成−２を介して、前記取引情報の記憶手段に記憶されている支払いに関する取引情報
と各銀行などのコンピュータ（以下、装置−５という）に記憶されている決済情報を参照
し取引の成立（終了）を確認するステップであって、該装置−２のＨＤＤなどの記憶装置
に第４ステップから第６ステップに至る３ステップで構成されるプログラム情報として入
力され、第４ステップは、前記取引情報の参照手段によって、取引の成立（終了）の確認
を受けて、顧客に通貨を発行することを目的に、プログラム情報で構築された通貨の発行
手段（以下、通貨の発行手段という）であって、ネットワーク構成−１とネットワーク構
成−２を介して、通貨を装置−３へ発行するステップであって、第５ステップは、前記通
貨の発行手段が顧客に発行した通貨に係る情報を管理することを目的に、プログラム情報
で構築された通貨の管理手段（以下、通貨の管理手段という）であって、該通貨の発行手
段と通貨の管理手段が同一の装置−２にプログラム情報として入力された手段であること
を利用して、該通貨の発行手段が該装置−３に通貨を発行すると同時に、発行された通貨
に係る情報をダイレクトに入手し管理するステップであって、第６ステップは、前記通貨
の管理手段によって管理されている通貨に係る情報を本装置に移行させることを目的に、
プログラム情報で構築された通貨の移行手段（以下、通貨の移行手段という）であって、
該通貨の管理手段と通貨の移行手段が同一の装置−２にプログラム情報として入力された
手段であることを利用して、該通貨の移行手段が通貨の管理手段で管理されている通貨に
係る情報をダイレクトに入手して、ネットワーク構成−１を介し該通貨に係る情報を本装
置に移行するステップであって、以上における全６ステップを構成するプログラムによっ
て、需要者がモノやサービスの提供を受けるため、代金として支払った「取引額」に対し
て、従来社会における現行通貨と特許文献１に記載する通貨（以下、通貨という）の交換
レート（率）を１対１とする１００％以上の通貨を、ネットワーク構成−２を介在させ、
該代金を支払った需要者である顧客に発行し、該ネットワーク構成−１を介し該通貨に係
る情報を本装置へ移行することを特徴とするコンピュータプログラム。
【請求項２】
ネットワーク構成−２に属する装置−３、装置−４、装置−５、装置−１とネットワーク構成−１に属する該装置−１、装置−２、本装置によって、ネットワーク構成された形態であって、該装置−１、装置−２が、請求項１記載のコンピュータプログラムを実行することを特徴とするコンピュータシステム。
【請求項３】
規約の作成に当り非論理的条件下にある数値や文言などを排除し、論理的条件下にある数値に基づいた文言によって、規約を作成することで、該規約を忠実に履行することを目的として、基礎データとなる取引情報の人為的入力領域に属する前記装置−３、装置−４、装置−５と完全なプログラムに不可欠である論理的条件下にある数値や算式のみでプログラムの構築を行い、人為的介入を排除したプログラムによる稼働領域に属する装置−１、装置−２と特許文献１による領域に属する本装置によって構成され、請求項２記載のコンピュータシステムを稼働させることを特徴とするコンピュータネットワークの利用方法。
【発明の詳細な説明】
【技術分野】
【０００１】
本発明は、現行通貨を根幹から変革する特許文献１に記載するマネー発行システムへの円滑な移行を図ることを目的に、需給取引において、需要者がモノやサービスの提供を受けるため、代金として支払った「取引額」に対して１００％以上の通貨を顧客に発行し、更に発行した通貨に係る情報を本装置に移行することに関するものである。
【背景技術】
【０００２】
従来の需給取引において、需要者がモノやサービスの提供を受けるため、代金として支払った「取引額」に対して、１００％以上の通貨を顧客に発行するという、言わば、使った金額以上の通貨が無料で戻ってくるという前代未聞のサービスが行われることや、更に発行した通貨に係る情報を請求項１に記載する本装置に移行させる公知技術は認められないが、
本発明及び本発明と重要な関係にある特許文献として
【特許文献１】特開２００７−３３４９１６号公報本発明と取引方法としての関係を有する特許文献として
【特許文献２】特開２００７−２０７２６５号公報
【発明の開示】
【発明が解決しようとする課題】
【０００３】
特許文献１に記載するとおり、現行通貨を根幹から変革する革新的な事業の黎明期に必要とされることは、人間特有の根源的な心理を作用させる生理的欲求を満たすことによって、大多数の圧倒的支持を得ることが必要と考察されるものである。
【０００４】
それは、人間を含む生命そのものが有する、生きるが故の生理的な欲求の代表事例を挙げると「水を欲する者は、水の有無に関せず欲する」ことである。
則ち、水から貨幣への欲求に置き換え人間特有の根源的な心理を作用させるものである。
【０００５】
モノやサービスの提供を受けるため、自身が有する現行通貨を代金として支払うことで権利を喪失しても、「支払った金額以上の通貨が無料で戻ってくる」ことによって、権利を付与されると自身の所有欲が発生することはもとより、貯まれば使いたくなるのが、人間に与えられた生理的欲求に起因する心理である。
【０００６】
また、社会生活を営むことは、需要者として社会に関わることを不可欠とするため、支出額の１００％以上の通貨を顧客に発行し万人に行き渡らせることで、貯まれば貯まるほどに、生活に資する要件はもとより、社会に資する用途に社会的通貨として、用いたくなることは、人間が根源的に有する生理的欲求における心理作用の当然の所為であると考察されるものである。
【０００７】
あるウェブサイトのトップページに記載されていることは、
「  国連によると、いま世界で毎日およそ25,000人の人々が飢餓あるいは飢餓に関連した死因で亡くなっています。そのうち4分の3は、５歳未満の子供たちです。実に5秒に1人の割合で子供達が飢餓で亡くなっているのです。さらに世界中で約8億5,000万人の人々が飢餓と栄養失調で苦しんでいます。彼らは十分な食べ物やきれいな飲み水がないために栄養失調になり、風邪や下痢のような病気でも簡単に死んでしまうのです。」
であるが、  従来通貨が社会に与える深刻な影響は計り知れぬものがあるが、世界における統計によって明白になっていることは、飢餓で苦しみながら死亡する多くの人々が現実に存在することや６６億人の総人口において１％（６６００万人）の人々が生活に要する資金をはるかに超えた通貨を独占することなど世界における従来通貨の分布は、異常を超えた事態を呈していることは統計上の数値として明白なものなのであるが、近年になりその傾向は一層の甚だしい格差を生じているのである。
【０００８】
従来通貨の変革は特許文献１によって行おうとするものであるが、従来通貨における恩恵を受けている前記する１％（６６００万人）の人々は世界各国において、それぞれの国の権力を構成する人々であるため、水面下における猛烈な反対は想像に難くないものである。
【０００９】
しかしながら、誰かがやり始めなければこの異常な事態は、益々異常の度合いを深める様相を呈することになって行くのである。国の提示する経済成長が国や大企業に関わるごく一部の人々に恩恵を与えるものであり、圧倒的大多数の庶民の生活とは大きくかけ離れたものであることは、統計上の数値や生活実態からも自明の事実である。
【００１０】
時の流れと共に窮状を深める庶民の生活や国の中枢に君臨する権力者による利権も重要な解決するべき課題であっても、それは、言わば病気の症状にすぎないものである。
本質的課題とすべきは、「通貨の流れであって、その流れを有する通貨が最終的に特定の人々のところに貯まって（流れを失い溜まる）しまう構造」なのである。
【００１１】
本発明は、上記事情を鑑みてなされたもので、需要者がモノやサービスの提供を受けるため、現行通貨を代金として支払うことで権利を喪失した「取引額」に対する１００％以上の通貨を顧客に発行することで、通貨としての権利を付与し、更に通貨に係る情報を本装置に移行させるプログラム及びシステム並びに利用方法を提供することを目的とする。
【課題を解決するための手段】
【００１２】
前記課題を解決するための、請求項１における記載事項を図１に基づいて、詳細に亘り以下に説明する。
【００１３】
請求項−１は、１以上で構成される装置−１  2と１以上で構成される装置−２  3と本装
置  4における、ネットワーク構成−１  1において、該装置−１  2と装置−２  3の両者
のＣＰＵを機能させるため、両者のＨＤＤなどの記憶装置に入力されるプログラム情報で
あって、該装置−１  2のＨＤＤなどの記憶装置に第１ステップから第３ステップに至る３
ステップで構成されるプログラム情報として入力され、下段に列記する、第１ステップ  
取引手段  2Ａ、第２ステップ  取引情報の記憶手段  2Ｂ、第３ステップ  取引情報の参
照手段  2Ｃで構成され、該装置−２  3のＨＤＤなどの記憶装置に第４ステップから第６
ステップに至る３ステップで構成されるプログラム情報として入力され、下段に列記する
、第４ステップ  通貨の発行手段  3Ｄ、第５ステップ  通貨の管理手段  3Ｅ、第６ステ
ップ  通貨の移行手段  3Ｆで構成され、以上における全６ステップを構成するプログラム
によって、需要者がモノやサービスの提供を受けるため、代金として支払った「取引額」
に対して、従来社会における現行通貨と特許文献１に記載する通貨の交換レート（率）
を１対１とする１００％以上の通貨を、ネットワーク構成−２  5を介在させ、該代金を支
払った需要者である顧客の装置−３  5Ａに発行し、該ネットワーク構成−１  1を介し該
通貨に係る情報を本装置  4へ移行することを特徴とするコンピュータプログラムである。
【００１４】
それでは、各ステップにおける機能をステップの順位に従って、図１に基づき以下に説明する。
【００１５】
第１ステップ  取引手段  2Ａについて
需要者と供給者がモノやサービスに関する取引を行うことを目的に、プログラム情報で構築された取引手段  2Ａであって、需要者として取引を行うための、それぞれの顧客の装置−３  5Ａと供給者として取引を行うための、それぞれの販売者などの装置−４  5Ｂを用いることによって、ネットワーク構成−２  5を介して該取引手段  2Ａにアクセスし、該取引手段  2Ａが提示する指示事項に従い、キーボードやマウスなどの入力装置を用いて取引情報を入力し、取引に係る契約を成立させるステップである。
【００１６】
第２ステップ  取引情報の記憶手段  2Ｂについて
前記取引手段  2Ａにおける取引情報を記憶することを目的に、プログラム情報で構築された取引情報の記憶手段  2Ｂであって、同一の装置−１  2にプログラム情報として入力された手段であることを利用して、前記取引手段  2Ａにおいて、取引に係る契約の成立に関する情報が発生すると同時に、該取引情報の記憶手段  2Ｂが該取引に係る契約の成立に関する情報をダイレクトに記憶するステップである。
【００１７】
第３ステップ  取引情報の参照手段  2Ｃについて
前記取引情報の記憶手段  2Ｂに記憶されている取引情報のうち、取引に係る契約の履行状況を確認することを目的に、プログラム情報で構築された取引情報の参照手段  2Ｃであって、ネットワーク構成−２  5を介して、前記取引情報の記憶手段  2Ｂに記憶されている支払いに関する取引情報と各銀行などの装置−５  5Ｃに記憶されている決済情報を参照し取引の成立（終了）を確認するステップである。
【００１８】
第４ステップ  通貨の発行手段  3Ｄについて
前記取引情報の参照手段  2Ｃによって、取引の成立（終了）の確認を受けて、顧客に通貨を発行することを目的に、プログラム情報で構築された通貨の発行手段  3Ｄであって、ネットワーク構成−１  1とネットワーク構成−２  5を介して、通貨を装置−３  5Ａへ発行するステップである。
【００１９】
第５ステップ  通貨の管理手段  3Ｅについて
前記通貨の発行手段  3Ｄが顧客に発行した通貨に係る情報を管理することを目的に、プログラム情報で構築された通貨の管理手段  3Ｅであって、該通貨の発行手段  3Ｄと通貨の管理手段  3Ｅが同一の装置−２  3にプログラム情報として入力された手段であることを利用して、該通貨の発行手段  3Ｄが該装置−３  5Ａに通貨を発行すると同時に、発行された通貨に係る情報をダイレクトに入手し管理するステップ。
【００２０】
第６のステップ  通貨の移行手段  3Ｆについて
前記通貨の管理手段  3Ｅによって管理されている通貨に係る情報を本装置  4に移行させることを目的に、プログラム情報で構築された通貨の移行手段  3Ｆであって、該通貨の管理手段  3Ｅと通貨の移行手段  3Ｆが同一の装置−２  3にプログラム情報として入力された手段であることを利用して、該通貨の移行手段  3Ｆが通貨の管理手段  3Ｅで管理されている通貨に係る情報をダイレクトに入手して、ネットワーク構成−１  1を介し該通貨に係る情報を本装置  4に移行するステップである。
【００２１】
以上に記載する全６ステップを構成するプログラムによって、需要者がモノやサービスの提供を受けるため、代金として支払った「取引額」に対する１００％以上の通貨を装置−３  5Ａに発行することで、通貨としての権利を付与し、更に通貨に係る情報を本装置  4へ移行することを特徴とするコンピュータプログラムである。
【００２２】
それでは、続いて請求項２における記載事項を図２に基づいて、以下に記述する。
【００２３】
請求項−２は、ネットワーク構成−２  5に属する装置−３  5Ａ、装置−４  5Ｂ、装置−５  5Ｃ、装置−１  2とネットワーク構成−１  1に属する該装置−１  2、装置−２  3、本装置  4によって、ネットワーク構成された形態であって、該装置−１  2、装置−２  3が、請求項１記載のコンピュータプログラムを実行することを特徴とするコンピュータシステムである。
【００２４】
更に続いて、請求項３における記載事項を図３に基づいて、以下に記述する。
【００２５】
請求項−３は、規約の作成に当り非論理的条件下にある数値や文言などを排除し、論理的条件下にある数値に基づいた文言によって、規約を作成することで、該規約を忠実に履行することを目的として、基礎データとなる取引情報の人為的入力領域  6に属する装置−３  5Ａ、装置−４  5Ｂ、装置−５  5Ｃと完全なプログラムに不可欠である論理的条件下にある数値や算式のみでプログラムの構築を行い、人為的介入を排除したプログラムによる稼働領域  7に属する装置−１  2、装置−２  3と特許文献１による稼働領域  8に属する本装置  4によって構成され、請求項２記載のコンピュータシステムを稼働させることを特徴とするコンピュータネットワークの利用方法である。
【発明の効果】
【００２６】
前記するように、現行通貨システムから特許文献１に記載するマネーシステムへ移行することを目的に、圧倒的大多数の人々の自発意思に基づく円滑な移行を実現する。
【発明を実施するための最良の形態】
【００２７】
それでは、先に各項に共通する事項について記載する。
【００２８】
１．ネットワーク構成−１  1  について
これは、同一施設内では、ＬＡＮ（Local Area Network）回線などによるネットワーク構成を用いるものであるが、規模や用途などの関係でインターネットも利用するものであり、どちらか一方に限定されるものではない。
２．装置−１  2と装置−２  3の両者間や装置−１  2同士と装置−２  3同士における、コンピュータの構成について
これも規模や用途などの関係で、両者が各１台のコンピュータを各１基のＣＰＵで各１基のＨＤＤなどの記憶装置を利用する最小構成から両者共に大量のコンピュータを大量のＣＰＵで大量のＨＤＤなどの記憶装置を利用する場合が想定されるため、これもまた限定されるものではない。
３．各装置を形成するコンピュータについて
これも規模や用途などの関係で、一般的用途で用いられるパソコンやワークステーション及びサーバー、スーパーコンピュータや量子コンピュータなど何れにも限定されるものではない。
４．ネットワークと装置に関する技術と本発明の関係について
ネットワークや装置そのものに関する技術は、公知技術の組み合わせや今後発明される新技術の何れにも限定されるものではなく、本発明に係るプログラムとしての機能の実現をでき得る技術によってもたらされるものである。
５．プログラムに関する技術について
これも公知技術として形成されているコンピュータ言語や今後発明される新言語の何れにも限定されるものではなく、本発明に係るプログラムとしての機能の実現をでき得る技術によってもたらされるものである。
６．ウェブサイトについて
取り扱うモノやサービスに関する商品は、ジャンルやカテゴリーも多岐に及び商品も多彩なものが想定されるため、本発明におけるウェブサイトに掲示される内容も多種多様な形態であって、図４に掲示されているような形態に限定されるものではないが、上記同様プログラムを機能させることの説明に重点をおきウェブサイトなどの掲示は必要最小限としている。
７．「取引額」に対する１００％以上の通貨の発行について
例えば、規約に１００％以上を示す「取引額に対する１５０％の通貨の発行」などと記載された場合や特開２００７−２０７２６５に記載する取引方法を行った場合において、還元額が発生することによって、取引額に対して１００％の発行であっても結果的に１００％以上になることなどを示すものである。
【００２９】
それでは、ネットワーク構成−１  1がＬＡＮ回線で装置−１  2と装置−2  3が各１台のコンピュータを各１基のＣＰＵで各１基のＨＤＤを用いる場合を想定した実施例を、各ステップの順位に従って以下に記載する。
【００３０】
第１ステップ  取引手段  2Ａについて、図４に基づき以下に詳細を説明する。
【００３１】
装置−１  2の図示されないＨＤＤなどの記憶装置にウェブサイト  9を開設するための情報と該ウェブサイト  9上に設置する取引手段  2Ａの機能を有するウェブ情報を図示されないキーボードやマウスなどの入力装置を用いて入力することにより、該ウェブサイト  9の開設と該取引手段  2Ａの設置を行うものである。
【００３２】
開設された該ウェブサイト  9上に設置された取引手段  2Ａに販売者などが、装置−４  5Ｂを用いネットワーク構成−２  5を介してアクセスし、該取引手段  2Ａが提示する指示事項に従って、モノやサービスに係る提供物件  9Ａに属する商品  9Ｂや支払い条件  9Ｃに属する条件  9Ｄなど取引に関する必要な情報を図示されないキーボードやマウスなどの入力装置を用い、人為的に入力し提示するものである。
【００３３】
更に顧客が、装置−３  5Ａを用い前記ウェブサイト  9上に設置された取引手段  2Ａにネットワーク構成−２  5を介してアクセスし、該取引手段  2Ａの提示する指示事項に従って、装置−４  5Ｂによって提示された提供物件  9Ａに属する商品  9Ｂと支払い条件  9Ｃに属する条件  9Ｄなどの取引に係る必要事項を図示されないキーボードやマウスなどの入力装置を用い、人為的に入力することによって、取引に係る契約を成立させるものである。
【００３４】
第２ステップ  取引情報の記憶手段  2Ｂについて、図５に基づき以下に記載する。
【００３５】
取引情報の記憶手段  2Ｂは、取引手段  2Ａと同様に、ネットワーク構成−２  5に属する装置−１  2の図示されないＨＤＤなどの記憶装置に図示されないキーボードやマウスなどの入力装置によって入力されたプログラム情報であって、ウェブサイト  9に属さない領域に入力されたものである。
【００３６】
また、同一の装置−１  2にプログラムされた取引手段  2Ａと取引情報の記憶手段  2Ｂは、該取引手段  2Ａにおいて、取引に係る契約の成立に関する情報が発生すると同時に、該取引情報の記憶手段  2Ｂは、人為的介入を排除したプログラムによってダイレクトに記憶するものである。
【００３７】
取引情報の記憶手段  2Ｂが記憶する、取引に係る契約の成立に関する情報とは、いつ、どこで、誰と誰が、何の取引を行い、どのように成立したか、などの情報である。
【００３８】
第３ステップ  取引情報の参照手段  2Ｃについて、同じく図５に基づき以下に記載する。
【００３９】
取引情報の参照手段  2Ｃは、取引情報の記憶手段  2Ｂと同様に、ネットワーク構成−２  5に属する装置−１  2の図示されないＨＤＤなどの記憶装置に図示されないキーボードやマウスなどの入力装置によって入力されたプログラム情報であって、ウェブサイト  9に属さない領域に入力されたものである。
【００４０】
取引情報の記憶手段  2Ｂに記憶された支払いに関する取引情報と装置−５  5Ｃに記憶された決済情報をネットワーク構成−２  5を介して、人為的介入を排除したプログラムによって、参照し取引の成立（終了）を確認するものである。
【００４１】
第４ステップ  通貨の発行手段  3Ｄについて、図６及び図５に基づき以下に記載する。
【００４２】
通貨の発行手段  3Ｄは、ネットワーク構成−１  1に属する装置−２  3の図示されないＨＤＤなどの記憶装置に図示されないキーボードやマウスなどの入力装置によって入力されたプログラム情報であって、取引の参照手段  2Ｃにおける取引情報の確認を受け、装置−３  5Ａに、ネットワーク構成−１  1とネットワーク構成−２  5を介して、人為的介入を排除したプログラムによって、通貨を発行するものである。
【００４３】
通貨の発行手段  3Ｄが発行する通貨とは、特定される顧客に対して額面計上された数値を発行するものであって、例えば、特定されるＡさんに１００、特定されるＢさんに２００のように数値をもって発行されるものである。
【００４４】
第５ステップ  通貨の管理手段  3Ｅについて、図６に基づき以下に記載する。
【００４５】
通貨の管理手段  3Ｅは、ネットワーク構成−１  1に属する装置−２  3の図示されないＨＤＤなどの記憶装置に図示されないキーボードやマウスなどの入力装置によって入力されたプログラム情報であって、通貨の発行手段  3Ｄによって発行された通貨に係る情報を、人為的介入を排除したプログラムによってダイレクトに管理するステップである。
【００４６】
通貨の管理手段  3Ｅが管理する、通貨に係る情報とは、何に起因して、いつ、どこで、誰に、どのような形で、いくら発行されたか、などの情報である。
【００４７】
第６ステップ  通貨の移行手段  3Ｆについて、図６に基づき以下に記載する。
【００４８】
通貨の移行手段  3Ｆは、ネットワーク構成−１  1に属する装置−２  3の図示されないＨＤＤなどの記憶装置に図示されないキーボードやマウスなどの入力装置によって入力されたプログラム情報であって、通貨の管理手段  3Ｅによって管理されている通貨に係る情報を、人為的介入を排除したプログラムによって、ネットワーク−１  1を介して、本装置  4へ移行するステップである。
【００４９】
通貨の移行手段  3Ｆが、本装置  4へ移行する通貨に係る情報とは、本発明におけるシステムにおいて、特定される顧客に発行された額などの情報である。
【００５０】
本発明及び本発明と重要な関係にある特開２００７−３３４９１６や本発明と取引方法としての関係を有する特開２００７−２０７２６５に共通することは、コンピュータを用いた特異性を有するプログラムであって、そのプログラムとしての特異性を有する機能を実現するための装置や方法は、現段階において、従来の技術者の知識や技術をもってすれば規模や用途などに応じて公知技術の組み合わせで行えるものである。
【００５１】
また、プログラム情報としての設計技術も現段階において、従来用いられているプログラム言語を用いることによって実現されるものであって、今までに記載している本発明におけるプログラムとしての特異性を有する機能を充分に踏まえてプログラム情報を組み立て設計することによって実現されるものである。
【産業上の利用可能性】
【００５２】
本発明に係る通貨の発行と通貨に係る情報の本装置への移行は、プログラム及びシステム並びに利用方法として論理的に成立するものであり、現代社会におけるハードとソフトの双方の情報通信技術をもって充分に実現可能なものであるため産業上の利用可能性を有するものである。
【図面の簡単な説明】
【００５３】
【図１】請求項１に記載する各ステップにおけるプログラムの系統図である。
【図２】請求項２に記載するネットワークを形成する装置の系統図である。
【図３】請求項３に記載するコンピュータの利用方法に関する稼働領域を示す図である。
【図４】請求項１に記載する第１ステップ取引手段に関する図である。
【図５】請求項１に記載する第２ステップ取引情報の記憶手段及び第３ステップ取引情報の参照手段に関する図である。
【図６】請求項１に記載する第４ステップ通貨の発行手段、第５ステップ通貨の管理手段及び第６ステップ通貨の移行手段に関する図である。
【符号の説明】
【００５４】
１  ネットワーク構成−１
２  装置−１
３  装置−２
４  本装置
５  ネットワーク構成−２
６  取引情報の人為的入力領域
７  人為的介入を排除したプログラムによる稼働領域
８  特許文献−１による稼働領域
９  ウェブサイト
【図１】
2008090873.tif 000003
【図２】
2008090873.tif 000004
【図３】
2008090873.tif 000005
【図４】
2008090873.tif 000006
【図５】
2008090873.tif 000007
【図６】
2008090873.tif 000008